(57)【要約】【課題】接着剤やシリコンコーキング材等の外気に触れると硬化する内容物の保管時における硬化を防止する注出口を具える中栓付塗布ノズルを提供する。【解決手段】容器の吐出口４１に装着される装着部３と、筒体下部に雄ネジ部１８を具えた空転筒部１６と、環状ストッパ部１５と、下部に帯状環状凸部１４aを有する中栓摺動筒部１４と、胴部に吐出口に連通する窓孔13具えた円錐台部１２と、円柱部１１と、円錐形中栓１０と、を連設して形成された中栓部1に、弾性変形可能な筒体の下部に該雄ネジ部１８と螺合する雌ネジ２１具えた雌ネジ筒部２０を具え、中部に中栓摺動筒部１４と円柱部１１に、液密または気密に摺動する大径摺動筒部２２と小径摺動筒部２３と、該中栓に嵌合する円錐形ノズル２６と、を具えたノズル部を、前後進摺動開閉栓可能に被嵌して形成された中栓付塗布ノズルである。【選択図】図１
2020183255.tif 000002
【特許請求の範囲】
【請求項１】
押圧による吐出が可能な容器の吐出口に装着される筒体下部に雄ネジを具え、中部外周面に吐出口に連通する窓孔を有し、上部に円錐形中栓と、を連設して形成された中栓部に、弾性変形可能な筒体の下部に雌ネジを具え、上部に中栓に嵌合する円錐形ノズルと、を具えたノズル部を、前後進摺動開閉栓可能に被嵌して成る中栓付塗布ノズルであって、
中栓部は同軸上に、容器吐出口に装着する装着部と、筒状の雄ネジ部と、雄ネジに螺合する雌ネジ内周面が摺動可能な筒体で形成された空転筒部と、雌ネジ部が螺動前進し、螺合を離脱すると同時に空転筒部を摺接回動状態になった雌ネジ部の螺条先端部上側が当接する位置に位置させるように空転筒部に周設された環状凸部状の環状ストッパ部と，空転筒部と略同径の中栓摺動筒部と、下端部外径が中栓摺動筒部外径と同径以下の外径で形成され、容器吐出口に連通する窓孔を胴部外周面に有し、先端方向に縮径した円錐台形の円錐台部と、中栓摺動筒部外径より小径の円柱形の円柱部と、円錐形状の中栓と、を連設して形成されており、
ノズル部は、雄ネジ部外径と、内径が略同径の筒体内周面下部に雄ネジと螺合する雌ネジを突設した雌ネジ筒部と、中栓摺動筒部外周面に液密または気密に摺動可能な大径摺動筒部と、連結筒体を介して内周面が円柱部に液密または気密に摺動可能な小径摺動筒部と、円錐形状のノズルと、を同軸上に連設して形成されており、
中栓部にノズル部を被嵌させたノズル部後進閉栓時には、窓孔部下部に大径摺動筒部と中栓摺動筒部とにより液密または気密に形成された大径シール部と、窓孔部上部に液密または気密に小径摺動筒部と該円柱部とにより形成された小径シール部と、が形成され、ノズル部前進開栓時には、窓孔部下部には大径摺動筒部と中栓摺動筒部とにより液密または気密に形成された大径シール部と、窓孔部上部には中栓部とノズル部との間に内容物通過の間隙と、が形成されていることを特徴とする中栓付塗布ノズル。
【請求項２】
また、前記小径シール部と大径シール部が形成された大径摺動筒部と小径摺動筒部の内周面には、閉栓時に於いてのシール性強化目的の環状凸部を設けたことを特徴とする請求項１記載の中栓付き塗布ノズル。
【請求項３】
前記環状ストッパ部外周下側には環状ストッパ部と略同一の高さの略直角三角形状の一辺が周設され、他の一辺はノズル部開栓方向回動において、雌ネジ部先端と対峙し係止させる位置に、軸方向と平行に係止壁として形成されおり、斜辺はノズル部閉栓方向回動において、雌ネジ先端部上側が斜辺の下側に当接摺動にするに伴い下降し、雌ネジ後尾部が雄ネジ部との螺合を開始させる螺合案内片として形成されており、ノズル部の上昇係止と、ノズル部の回動係止と、空転からの閉栓螺合復帰案内機能と、が空転筒部に一体で形成されていることを特徴とする請求項１、２記載の中栓付塗布ノズル。
【請求項４】
ノズル部の円錐形頂角は、中栓部の円錐形頂角よりも広角に形成され、嵌合閉栓時には中栓外周面先端に線状または帯状の環状シール部を形成させるように構成したことを特徴とする請求項１〜３記載の中栓付塗布ノズル。
【発明の詳細な説明】
【技術分野】
【０００１】
本発明は、容器吐出口に取り付ける合成樹脂製塗布ノズルの内容物の硬化防止に関する。
【背景技術】
【０００２】
特許文献１の技術として、シリコンコーキング材が接着しないとともに、ナイフで容易に切断される合成樹脂で形成される中栓付塗布ノズルであって、容器吐出口に装着した雄螺子を有する筒体と、外周に環状突部を有する筒体と、吐出口に連通する通過穴（以下窓孔と表示）を外周に有する筒体と、円錐形中栓を有する円錐形部と、を同軸上に連設させ形成された固定中栓部材に、下部に雌螺子を有する筒体と、内周に前記環状突部に密摺接する摺動部を有する筒体と、前記固定中栓部材に密接する相似形の円錐面を内面とし、外形も円錐形状をなした円錐形塗布ノズルを同軸上に立設した可動ノズル部材を、前記固定中栓部材に、液密に前後進摺動可能に被嵌させ、閉栓時のノズル内の内容物の硬化を防止すると共に、前記中栓に切断容易手段の環状溝を設けるとともに、前記円錐形塗布ノズルは、外面に切断目印環状突部を有し、かつ、０、２ｍｍから５ｍｍの肉厚で形成したことを特徴とする中栓付塗布ノズルが知られている. 
【０００３】
また特許文献２に記載の従来の技術として,容器の開口部を閉じるべく容器に装着されるキャップを具え、キャップは、容器と係合するキャップ本体と、容器と係合し且つ容器の開口部を開閉できるようにキャップ本体に接続される蓋体を備え、キャップを容器に装着するときに、キャップを回転させることによりキャップ本体の第１と第2本体部突出部を容器ネジ部に螺合させた後、キャップをさらに回転させることにより容器ネジ部に対する第１と第2本体突出部の螺合を解除して空転させると共に、キャップをさらに回転させることにより蓋体ネジ部が容器ネジ部に螺合完了したときに、キャップが閉位置に位置する様に構成され、キャップを容器に装着する際、容器ネジ部に対する螺合が解除され且つ該容器ネジ部に対して空転させている本体ネジ部を摺接させキャップを閉位置へと案内する案内部を有する構成が知られている。
【０００４】
また、従来の技術として、螺条のネジ溝にネジ溝を横断するように堤を設け、ネジ山の進行を阻止する方法が知られている。（非特許文献）
【先行技術文献】
【特許文献】
【０００５】
【特許文献１】特許４３０１４５９
【特許文献２】特許６２９５０８４
【発明の概要】
【発明が解決しようとする課題】
【０００６】
しかしながら、特許文献１に記載の技術では、閉栓時においては、円錐形ノズルを中栓部に対し液密に後進摺動させ、相似形の円錐形中栓と円錐形ノズルとの間隙に残置する内容物を円錐形ノズル内周面と円錐形中栓外周面を全周面にわたり密着させることにより吐出させ、ノズル部内部に湿気が浸透するのを防止し、内容物の硬化防止を図るように構成されているが、内容物には前回使用時に残置され硬化した内容物や塵が混入する可能性があり、また合成樹脂素材の成形時の歪みもあり、全周面を密着させ内容物を完璧に排除し気密状態にすることは難しく、中栓部とノズル部の間に薄く残留した内容物を伝染するように湿気が窓孔内奥部まで浸透し、湿気により硬化するシリコンコーキング材の場合早いときには５日間程で硬化が中栓部内奥部まで浸透し、中栓に対する締め付けが緩めの時にはそれよりもさらに早く硬化が窓孔内奥部に浸透する。それらの原因による硬化時には面倒であっても、中栓部とノズル部を分離させ内奥部の硬化物を除去しなければ注出不可能という致命的な問題があった。また、ノズル部前進時の抜け出し防止ストップ位置が明確では無く、単に螺動が硬くなるだけなのでうっかり強く開栓前進螺動を続けるとノズルが抜け出てしまい塗布作業が中断してしまう問題があった。
【０００７】
次に特許文献２の発明は、キャップを回転させることにより螺合を解除し空転させることによる螺合箇所の切り替えによってキャップを変形した螺旋状のネジ溝より閉位置に案内するものであり、また特許文献2に示される二箇所の突出部に対応するのは本願発明の雌ネジであるが、本願発明の開栓時の空転はノズル部の上昇力を消失させ環状ストッパと共にノズル部の抜け出し防止を図る目的であり、また本願発明の係止案内片は、単に直角三角形状の案内片とによってノズル部の回動係止と逆回動させることにより開栓から閉栓回動へ案内させることであり、内容物の硬化を防止すると共に、硬化時においてはノズル部と中栓部の分解による除去と組立が簡単にできる中栓付塗布ノズルを課題としている本願発明おいては、特許文献２の発明は記述的には当てはまるようではあるが、内容的には異なるものであり、本願発明に採用することは困難であった。
【０００８】
また、従来技術の雄ネジ部のネジ溝に横断状態に土手状の抜け出し防止の障害物を設けたとしても、中栓部に対しノズル部を使用可能状態にセットする為には土手状の障害物を螺動により乗越えて組立をする必要があり、それが為に障害物の高さをあまり高くすることが出来ないうえに、障害物が摩耗した場合には、力が入る螺動開栓摺動時にはノズル部が簡単に障害物を乗越え抜け出てしまう問題があった。
【０００９】
以上のような従来技術の欠点に鑑み、本発明は、閉栓時のノズル部内の硬化の防止と、また、ノズル部を緩く閉栓した場合に内容物が円錐形ノズル部内周面に薄く硬化した状態においても、窓孔内奥部への硬化の伝染の防止と、また、ノズル部を開栓回動した場合に簡単にノズル部が抜け出す特許文献１の方式および、非特許文献によるネジ溝に横断土手を設ける抜け出し防止方法によらず、耐久性があると共に簡単なノズル部の抜け出し防止方法と、硬化が進行した場合であっても内容物の硬化物除去に伴う分解と組立が簡単に出来る使い勝手のよい中栓付塗布ノズル提供することを課題とする。
【課題を解決するための手段】
【００１０】
本願発明の上下の表記については、容器方向を下部または下とし、ノズル先端の注出口方向を上部または上とすると共に、容器吐出口と連結する装着部側を基端部といい、ノズル部注出口方向を先端部と表記する。
【００１１】
また、本願発明においては、図に示すようにノズル部先端吐出口は水平にカットされた状態を前提として説明がなされている。しかしノズル部先端を斜めカットした場合には、閉栓時に中栓先端カットはノズル部先端を越える長さとする。
また、閉栓方向回動は時計回りとし、開栓方向回動は反時計回りと記述する。
なお、本願発明の各々の環状シール部のシールをさせる順序は、先行を大径シール部と想定し、また、内容物はシリコンコーキング材や接着剤の外気によって硬化する粘性の内容物を想定し、またノズル部の前後進摺動は螺動を想定しているが、これらに限定されるものでは無く、内容物によりシール順番を変更することも可能であり、内容物が液体でも適用可能であり、また中栓部に対してノズル部は直線摺動動作でも硬化防止は可能である。
【００１２】
本願発明は、前記の課題を解決するためのものであって、押圧による吐出が可能な容器の吐出口に装着される筒体下部に雄ネジを具え、中部に吐出口に連通する窓孔を有し、上部に円錐形の中栓と、を連設して形成された中栓部に、弾性変形可能な筒体の下部に雌ネジを具え、上部に該中栓に嵌合する円錐形ノズルと、を具えたノズル部を、前後進摺動開閉栓可能に被嵌された中栓付塗布ノズルであって、
中栓部は、同軸上に容器吐出口に装着する装着部と、筒状の雄ネジ部と、雄ネジに螺合する雌ネジ内周面が摺動可能な筒体で形成された空転筒部と、雌ネジ部を弾性拡径させることによる嵌入が可能な高さで形成された環状凸部状の環状ストッパ部と、空転筒部と同径以下の外径の中栓摺動筒部と、中栓摺動筒部外径と同径以下の下端部外径を有し、容器吐出口に連通する窓孔を胴部に具え先端部方向に縮径した円錐台形の円錐台部と、中栓摺動筒部外径より小径の円柱状の円柱部と、円錐形状の中栓と、を連設して構成されており、
【００１３】
ノズル部は、雄ネジ部外径と内径が略同径の筒体内周面下部に雄ネジと螺合する雌ネジを突設した雌ネジ筒部と、中栓摺動筒部外周面に液密または気密に摺動可能な大径摺動筒部と、連結筒体を介して内周面が円柱部に液密または気密に摺動可能な小径摺動筒部と、円錐形状のノズルと、を同軸上に連設して形成されている構成とする。
【００１４】
かかる構成によれば、中栓部に対しノズル部が下降する閉栓摺動時においては、中栓摺動筒部と円柱部の上端外縁部により、大径摺動筒部と小径摺動筒部の内周面に付着した内容物が削ぎ取られると共に液密または気密の環状シール部が各々に形成されている構成とした。
【００１５】
次に、閉栓時においては、さらに密封度を高めるためにノズル部をさらに閉栓回動させることにより、大径摺動筒部と小径摺動筒部の内周面に各々に設けられた環状凸部を、中栓摺動筒部と円柱部との間に介在位置させ、より密封度の高い環状の大径シール部と小径シール部が形成されていることを特徴とする構成とした。
【００１６】
また、閉栓時の円錐形ノズルと円錐形中栓とのノズル部先端部嵌合においては、ノズル部の円錐形頂角は該中栓部の円錐形頂角よりも広角に形成されており、円錐形中栓外周面と円錐形ノズル内周面との当接時には環状の線状または帯状のシール部が形成されていることを特徴とする構成とした。
【００１７】
次に、環状ストッパ部は、ノズル部雌ネジ部が開栓方向螺動により上昇し螺脱すると共に、空転筒部に入域し、空転回動状態になった雌ネジ部の螺条先頭部上側が当接する位置に配置されると共に、環状ストッパ部下側に、平面視形状が直角三角形状の係止案内片の一辺を密接させ周設形成すると共に、他の一辺は軸方向と平行に雌ネジ部の螺条先頭部の開栓回動係止壁として位置させ、斜辺はノズル部閉栓方向回動において、雌ネジ螺条先頭部上側が斜辺下側に当接摺動するのに伴う下降回動を案内すると共に、雌ネジ螺条後尾部が雄ネジ部に螺合を開始させる案内辺としても形成されており、雌ネジ部の上昇係止と、回動係止と、閉栓螺動案内の機能と、を空転筒部上部外周に一体に周設形成させていることを特徴する構成とした。
【発明の効果】
【００１８】
本発明の閉栓時例においては、閉栓第１段階として、窓孔部の上部と下部の二箇所に液密または気密の小径と大径の環状シール部が形成され、閉栓第２段階として、円錐形ノズルと円錐形中栓とにより、円錐形ノズル先端に帯状または線状の環状シール部を形成させる構成であり、閉栓時においてノズルを例え緩く締めた状態であっても、既に窓孔部は、上下に形成された環状シール部により密封されており、硬化は円錐形ノズル部の内周面に薄く発生するのみで窓孔部内奥に進行しないため、ひき続き注出は可能であり、次の使用に支障をきたさない構成とした。
【００１９】
次に、円錐形ノズル部のシール方式に於いては、前記ノズル先端に線状または帯状のシールを形成させることにより、特許文献１の全周面的に密着する方式と比較しノズル及び中栓の成形時の歪みがあったとしても、その影響は減少し、また密着部分の面積の減少に伴い単位面積当たりの密着圧も高まるとともに気密性も高めた。
【００２０】
また、中栓部に対してノズル部の密着圧力を強化することにより、ノズル部摺動時及び閉栓時おいては液密または気密性は高まるが、摺動時においては回動摺動動作が重くなる難点が生じ、また密着圧力を緩和することにより摺動回動動作は軽快にはなるが、摺動時の密封度は下がってしまう、これらを補い内容物の硬化の可能性の高い保管時の硬化を防止するために、該ノズル部閉栓時において、中栓摺動筒部上部外周と該円柱部上部外周に当接した大径摺動筒部と小径摺動筒部の内周面位置に環状凸部を介在配置させた構成により、密封性をより高めた。
【００２１】
また、ノズル部の閉栓時において、大径摺動筒部下部の肉厚部が中栓摺動筒部下部に周設された帯状環状凸部に乗り上げ密封させる構成とし、窓孔部下部に環状シール部が２カ所形成されることにより密封性をさらに高めた。
【００２２】
また、ノズル部開栓上昇時には、ノズル部雌ネジが螺脱し、空転回動状態になり、上昇力を失ったノズル部の上昇は停止されると同時に雌ネジは環状ストッパ部に当接し、上昇力を失った雌ネジ部は環状ストッパ部に当接するだけでノズル部の上昇が阻止されることにより、環状ストッパ部の摩耗による係止能力の減少が軽滅され。長期の使用に耐えられ、またノズル部を手動により上部に引き抜くように回動させることにより雌ネジが乗越え可能な高さの環状ストッパを乗越え、簡単に中栓部とノズル部が分離され、硬化時の内容物除去が容易になる。
【図面の簡単な説明】
【００２３】
【図１】容器に装着された中栓部にノズル部を被嵌させ閉栓した状態におけるノズル  部の縦断面図と、中栓部の右半分は縦断面図であり、左半分は中栓部の左半分の  正面図である。
【図２】中栓部にノズル部を被嵌し開栓注出状態におけるノズル部の縦断面図と、中  栓部の右半分は縦断面図であり、左半分は中栓部の左半分の正面図である。
【図３】中栓部にノズル部を被嵌し、閉栓した状態における、側面縦断面図（矢印は内容物の注出流路方向を示す）
【図４】中栓部にノズル部を被嵌し、開栓した状態における、側面縦断面図(分流垂壁１１aは、容器より注出された内容物が、矢印が示すように左右に分流しスムーズに窓孔を通過するように設けたものである（矢印は内容物の流路方向を示す）
【図５】閉栓時の窓孔部の拡大断面図であると共に、大径環状凸部２４と小径環状部２５による窓孔上下部の環状シール状態を示している。
【図６】開栓時に、容器への押圧により内容物が分流垂れ壁１１aに当接し、左右に分流し窓孔より間隙に入域する通過状態（矢印）を図示した窓孔部の拡大断面図である。
【図７】閉栓状態における、ノズル部雌ネジの状態を表す斜視説明図である。
【図８】開栓状態から閉栓途上時における、ノズル部雌ネジの状態を表す斜視説明図である。（矢印は回動方向を表す）
【図９】開栓状態から閉栓に至る開始時における、ノズル部雌ネジの回動状態を表す斜視説明図である。（矢印は回動方向を表す）
【発明を実施するための形態】
【００２４】
次に、本願発明の中栓付塗布ノズル実施例について図面を参照して説明する。
【実施例１】
【００２５】
以下、本発明の実施形態を、図面を参照して説明する。図1図３図５図７に示される図は、中栓部１にノズル部２を装着した使用開始前の閉栓時の図である。閉栓時状態への組立において、吐出口４１に装着された中栓部に対し、ノズル部の被嵌セット時にあっては、雌ネジ部２１を弾性拡径させ環状ストッパ部１５を乗越え通過させ雄ネジ部１８に螺合させると共に、円錐形中栓１０と円錐形ノズル２６も嵌合され、螺動が停止されると共に組立は終了し、閉栓時の中栓付塗布ノズルが形成される。
【００２６】
次に、閉栓状態から開栓注出状態そして閉栓への実施形態を、図面を参照して説明する。
まず、図７に示す閉栓時の状態から、中栓部に対しノズル部の反時計回りの螺動により、雌ネジ部２１は上昇し、螺合を離脱すると略同時に空転筒部１６領域に上昇力を喪失した摺接回動状態で入域し、環状ストッパ部1５と雄ネジ上端を平面状にカットした雄ネジ平面カット部１７との間を空転回動状態になった雌ネジのネジ山先頭部が、図９に示すように、乗越え可能な高さで形成された係止案内片１５aに衝突するが、ノズル部を中栓部から引き抜くような回動動作を行わない限り、環状ストッパ部１５に上昇を阻止されると共に、係止案内片１５aにより回動も係止され、あるいは乗越えられるが、前記したように引き抜くような回動動作を行わない限り、上昇力を喪失したノズル部が抜けることは無い、この時に、使用者は係止を感知しノズル部が開栓注出可能状態に達したことを自覚し、ノズル部回動を停止させノズルは開栓塗布状態になる。（矢印方向は開栓開始時を表す）
【００２７】
次に、容器への押圧により容器に充填された内容物は中栓部筒体を通過し、窓孔１３から吐出され（図４、図６）ノズル部と中栓部との間隙１０aを通過しノズル先端から注出され塗布使用される。
【００２８】
次に、開栓塗布状態から閉栓保管状態への実施形態を、図７〜図９を参照して説明する。
塗布作業終了後、ノズル部を時計回りの閉栓回動をさせ、図８に示すように、まず雌ネジ21先頭部上側が係止案内片１５a斜辺に当接案内され、雌ネジ２１後尾部が雄ネジ１８螺条先端部に螺合され、ノズル部は螺動により下降を始める。
【００２９】
また、同時にノズル部を構成する大径摺動筒部２２と小径摺動筒部２３も摺動下降すると共に、該中栓摺動筒部１４と該円柱部１１の上部外縁により該大径摺動筒部２２内周面と該小径摺動筒部２３内周面に各々付着した内容物が削ぎ落され、液密または気密状態になった大径摺動筒部２２と中栓摺動筒部１４、そして、小径摺動筒部２３と該円柱部１１との間に、挟みこむように大径摺動筒部２２と小径摺動筒部内周面に設けた（図５参照）大径環状凸部２４と小径環状凸部２５により、内容物の環状凸部への巻き込みを減少させると共に、窓孔部１３対する密封性をより高めた図５に示す環状シールが形成される。
【００３０】
次には、ノズル部最先端においては、図3に示すように円錐形中栓１０と円錐形ノズル２６とにより、線状または帯状の環状シールが形成されると共に、さらに図１に示すように大径摺動筒部下部の肉厚部２２aが中栓摺動筒部下部に周設された帯状環状凸部１４aに乗り上げ密封させることにより密封性をさらに高めた構成とした。
【産業上の利用可能性】
【００３１】
本発明は、建築関係のコーキングによる小規模の防水シール等に工事利用される。
【符号の説明】
【００３２】
１      中栓部
２      ノズル部
３      装着部
４      容器
１０      円錐形中栓
１０a     間隙
１１      円柱部
１１a     分流垂壁
１２      円錐台部
１３      窓孔
１４      中栓摺動筒部
１４a     帯状環状凸部
１５      環状ストッパ部，
１５a     係止案内片
１６      空転筒部
１７      雄ネジ平面カット部
１８      雄ネジ部
２０      雌ネジ筒部
２１      雌ネジ部
２２      大径摺動筒部
２２a     肉厚部
２３      小径摺動筒部
２３a     連結筒体
２４      大径環状凸部
２４a     大径シール部
２５      小径環状凸部
２５a     小径シール部
２６      円錐形ノズル
２７      注出口
４１      吐出口
【図１】
2020183255.tif 000003
【図２】
2020183255.tif 000004
【図３】
2020183255.tif 000005
【図４】
2020183255.tif 000006
【図５】
2020183255.tif 000007
【図６】
2020183255.tif 000008
【図７】
2020183255.tif 000009
【図８】
2020183255.tif 000010
【図９】
2020183255.tif 000011
【手続補正書】
【提出日】令和1年9月26日(2019.9.26)
【手続補正１】
【補正対象書類名】特許請求の範囲
【補正対象項目名】請求項３
【補正方法】変更
【補正の内容】
【請求項３】
環状ストッパ部外周下側には環状ストッパ部と略同一の高さの略直角三角形状の一辺が周設され、他の一辺はノズル部開栓方向回動において、雌ネジ部先端と対峙し係止させる位置に、軸方向と平行に係止壁として形成されおり、斜辺はノズル部閉栓方向回動において、雌ネジ先端部上側が斜辺の下側に当接摺動にするに伴い下降し、雌ネジ後尾部が雄ネジ部との螺合を開始させる案内片として形成されており、ノズル部の上昇係止と、ノズル部の回動係止と、空転からの閉栓螺合復帰案内機能と、が空転筒部に一体で形成されていることを特徴とする請求項１または２記載の中栓付塗布ノズル。
【手続補正２】
【補正対象書類名】特許請求の範囲
【補正対象項目名】請求項４
【補正方法】変更
【補正の内容】
【請求項４】
ノズル部の円錐形頂角は、中栓部の円錐形頂角よりも広角に形成され、嵌合閉栓時には、中栓外周面先端に環状シール部が形成されるように構成したことを特徴とする請求項１〜３のいずれか一項に記載の中栓付塗布ノズル。
【手続補正３】
【補正対象書類名】明細書
【補正対象項目名】００１６
【補正方法】変更
【補正の内容】
【００１６】
また、閉栓時の円錐形ノズルと円錐形中栓とのノズル部先端部嵌合においては、ノズル部の円錐形頂角は該中栓部の円錐形頂角よりも広角に形成されており、円錐形中栓外周面と円錐形ノズル内周面との当接時には環状のシール部が形成されていることを特徴とする構成とした。
【手続補正４】
【補正対象書類名】明細書
【補正対象項目名】００１８
【補正方法】変更
【補正の内容】
【００１８】
本発明の閉栓時においては、閉栓第１段階として、窓孔部の上部と下部の二箇所に液密または気密の小径と大径の環状シール部が形成され、閉栓第２段階として、円錐形ノズルと円錐形中栓とにより、円錐形ノズル先端に環状シール部を形成させる構成であり、閉栓時においてノズルを例え緩く締めた状態であっても、既に窓孔部は上下に形成された環状シール部により密封されており、硬化は円錐形ノズル部の内周面に薄く発生するのみで窓孔部内奥に進行しないため、ひき続き注出は可能であり、次の使用に支障はきたさない構成とした。
【手続補正５】
【補正対象書類名】明細書
【補正対象項目名】００１９
【補正方法】変更
【補正の内容】
【００１９】
次に、円錐形ノズル部のシール方式に於いては、前記ノズル先端に環状シールを形成させることにより、特許文献１の全周面的に密着する方式と比較しノズル及び中栓の成形時の歪みがあったとしても、その影響は減少し、また密着部分の面積の減少に伴い単位面積当たりの密着圧も高まるとともに気密性も高めた。
【手続補正６】
【補正対象書類名】明細書
【補正対象項目名】００３０
【補正方法】変更
【補正の内容】
【００３０】
次には、ノズル部最先端においては,図３に示すように円錐形中栓１０と円錐形ノズル２６とにより、環状シールが形成されると共に、さらに図１に示すように大径摺動筒部下部の肉厚部２２aが中栓摺動筒部下部に周設された帯状環状凸部１４aに乗り上げ密封させることにより密封性をさらに高めた構成とした。
【手続補正７】
【補正対象書類名】明細書
【補正対象項目名】００３２
【補正方法】変更
【補正の内容】
【００３２】
１      中栓部                                                
２      ノズル部
３      装着部
４      容器
１０      円錐形中栓
１０a     間隙                            
１１      円柱部
１１a     分流垂壁                          
１２      円錐台部                      
１３      窓孔                                                    
１４      中栓摺動筒部                      
１４a     帯状環状凸部
１５      環状ストッパ部，
１５a     係止案内片                    
１６      空転筒部                      
１７      雄ネジ平面カット部                        
１８      雄ネジ部
２０      雌ネジ筒部
２１      雌ネジ部
２２      大径摺動筒部
２２a     肉厚部
２３      小径摺動筒部                      
２３a     連結筒体
２４      大径環状凸部
２４a     大径シール部                    
２５      小径環状凸部
２５a     小径シール部                  
２６      円錐形ノズル
２７      注出口                  
２８      環状シール部
４１      吐出口          
【手続補正８】
【補正対象書類名】図面
【補正対象項目名】図３
【補正方法】変更
【補正の内容】
【図３】
2020183255.tif 000012